(57)【要約】【課題】  前面にドーム等透明部材を介した、赤外カットフィルタ切換機能付きカメラにおいて、ドーム自体にピントが合ってしまう問題がある。通常、ドームより至近にピントが合わないようフォーカス移動範囲に制限を設けているが、赤外と可視ではピント位置に違いがあるため、フォーカス制限を一律に掛けると、赤外で被写体にピントが合わない、もしくは可視でドームにピントが合うといった不具合を生じる。【解決手段】  撮影画面の色の分布より撮影光が赤外か可視光かを判別、それに応じたフォーカス制限を選択することで、撮影光が赤外でも可視であってもドームにピントが合わず、適切にフォーカス制限を掛けられる構成とする。【選択図】  図１
2010145704.tif 000002
【特許請求の範囲】
【請求項１】
撮像光学系と、撮像光学系の前面に配した透明部材と、前面に撮像素子カラーフィルタを配した撮像素子と、前記撮像光学系の光路中で赤外カットフィルタの挿脱を行うフィルタ移動手段を有した撮像装置であって、
前記撮像素子によって撮影された撮影画面中の複数の領域について色差及び輝度信号を平均化して抽出する抽出手段と、前記抽出された色差信号と輝度信号の比の分布に基づいて光源の赤外成分の割合を推定算出する算出手段と、
前記算出された赤外成分の割合に基づいて前記透明部材に対してピントが合わないようにフォーカスレンズの移動範囲を制限する制御手段を有することを特徴とする撮像装置。
【請求項２】
前記光源の赤外成分の割合の算出手段は、色差信号と輝度信号の比で表される座標系において、撮像素子カラーフィルタを透過した赤外領域の波長光が分布する範囲に対して、前記抽出された色差信号と輝度信号の比の分布が近傍に集中している度合いを、位置関係に基づいて評価することで赤外成分割合を算出することを特徴とする請求項１に記載の撮像装置。
【請求項３】
前記撮像素子カラーフィルタを透過した赤外領域の波長光が分布する範囲は、撮像素子カラーフィルタの赤外領域の分光透過特性より、赤色成分が多く透過される第１の赤外領域、あるいは３色成分がほぼ同量透過される第２の赤外領域の波長光が分布する範囲であることを特徴とする請求項２に記載の撮像装置。
【請求項４】
前記位置関係に基づく評価は、色差信号と輝度信号の比で表される座標系において、赤外領域の波長光が分布する範囲と、前記抽出された色差信号と輝度信号の比との最短距離をそれぞれ求め、前記最短距離の乗数を総和した値に基づき、赤外成分の割合を算出することを特徴とする請求項２又は請求項３に記載の撮像装置。
【請求項５】
前記フォーカスレンズの移動範囲を制限する制御手段は、可視及び赤外波長において、透明部材及び無限遠で合焦するズームレンズとフォーカスレンズ位置の関係データを記憶してある記憶手段と、前記関係データと現在のズームレンズ位置に基づいて、可視及び赤外波長における透明部材から無限遠までの範囲で合焦するフォーカスレンズ移動範囲をそれぞれ算出する算出手段を有し、前記算出された赤外成分の割合に基づいて、前記可視及び赤外波長のフォーカスレンズ移動範囲のどちらかを選択し、フォーカスレンズに制限を掛ける制御手段であることを特徴とする請求項１〜請求項４のいずれかに記載の撮像装置。
【請求項６】
前記フォーカスレンズの移動範囲を制限する制御手段は、可視、第１及び第２の赤外波長において、透明部材及び無限遠で合焦するズームレンズとフォーカスレンズ位置の関係データを記憶してある記憶手段と、前記関係データと現在のズームレンズ位置に基づいて、可視、第１及び第２の赤外波長における透明部材から無限遠までの範囲で合焦するフォーカスレンズ移動範囲をそれぞれ算出する算出手段を有し、前記算出された赤外成分の割合に基づいて、前記可視、第１または第２の赤外波長のフォーカスレンズ移動範囲のいずれかを選択し、フォーカスレンズに制限を掛ける制御手段であることを特徴とする請求項１〜請求項４のいずれかに記載の撮像装置。
【発明の詳細な説明】
【技術分野】
【０００１】
本発明は、撮像信号に基づき赤外成分の割合を算出する手段と、それを用いてフォーカスレンズ制御を行う、赤外カットフィルタの挿脱機能を有した撮像装置に関するものである。
【背景技術】
【０００２】
赤外カットフィルタの挿脱機能とそれに伴うレンズ制御装置を有した撮像装置に関する従来例として、特開平１１−３０５１０７号公報に記載された「レンズ制御装置と撮像装置」がある。これはレンズ制御装置において、フィルタの出し入れにより生じる色収差によるピントずれを解消するものである。
【０００３】
撮像素子の出力信号から３原色生成手段が生成した３原色信号Ｒ、Ｇ、Ｂを用い、色正規化手段は赤と緑の原色信号の比（Ｒ／Ｇ）と青と緑の原色信号の比（Ｂ／Ｇ）とを計算する。双方の比の大きさに応じた補正量を補正量記憶手段は予め記憶する。記憶手段はズームトラッキング曲線データを予め記憶する。補正手段は、位置検出手段のズームレンズの検出位置に対応してズームトラッキング曲線データから求まるフォーカスレンズ位置に前記補正量を加えて補正する。補正されたフォーカスレンズ位置にフォーカスレンズ駆動手段はフォーカスレンズを移動させる。
【特許文献１】特開平１１−３０５１０７号公報
【発明の開示】
【発明が解決しようとする課題】
【０００４】
撮像光学系の前面にドームや窓等の透明部材を配した撮像装置において、前面の透明部材にピントが合うことを防ぐためには、被写体にピントを合わせるウォブリングの際にフォーカスレンズの移動距離に制限を加えることが有効である。従来の撮像装置では、撮像光学系から前面の透明部材まで合焦するフォーカスレンズ移動範囲は、撮像光源が可視光のみの場合を想定し一定の範囲で表わすことが可能であった。よって、フォーカスレンズの移動距離に対し、前記一定の範囲の移動を禁止するフォーカス制限を行えばよかった。
【０００５】
しかし、赤外カットフィルタの挿脱機能を備えた撮像装置においては、可視光及び赤外光が撮像光源となるが、可視光と赤外光では被写体の距離に対して合焦するフォーカスレンズの位置に大きな違いがある。そのため従来の撮像装置のように可視光に合わせてフォーカス制限を掛けた場合、図１に示すように赤外光では至近の被写体にピントが合わなくなる。また赤外光に合わせてフォーカス制限を掛けた場合、図２に示すように可視光では前面の透明部材にピントが合う可能性があるといった問題が生じる。
【課題を解決するための手段】
【０００６】
本発明は、撮像光学系と、撮像光学系の前面に配した透明部材と、前面に撮像素子カラーフィルタを配した撮像素子と、前記撮像光学系の光路中で赤外カットフィルタの挿脱を行うフィルタ移動手段を有した撮像装置であって、
前記撮像素子によって撮影された撮影画面中の複数の領域について色差及び輝度信号を平均化して抽出する抽出手段と、前記抽出された色差信号と輝度信号の比の分布に基づいて光源の赤外成分の割合を推定算出する算出手段と、
前記算出された赤外成分の割合に基づいて前記透明部材に対してピントが合わないようにフォーカスレンズの移動範囲を制限する制御手段を有することを特徴とする撮像装置である。
【０００７】
光源の赤外成分の割合の算出手段は、色差信号と輝度信号の比で表される座標系において、撮像素子カラーフィルタを透過した赤外領域の波長光が分布する範囲に対して、前記抽出された色差信号と輝度信号の比の分布が近傍に集中している度合いを、位置関係に基づいて評価することで赤外成分割合を算出する。
【０００８】
撮像素子カラーフィルタを透過した赤外領域の波長光が分布する範囲は、撮像素子カラーフィルタの赤外領域の分光透過特性より、赤色成分が多く透過される第１の赤外領域、あるいは３色成分がほぼ同量透過される第２の赤外領域の波長光が分布する範囲である。
【０００９】
前記位置関係に基づく評価は、色差信号と輝度信号の比で表される座標系において、赤外領域の波長光が分布する範囲と、前記抽出された色差信号と輝度信号の比との最短距離をそれぞれ求め、前記最短距離の乗数を総和した値に基づき、赤外成分の割合を算出する。
【００１０】
フォーカスレンズの移動範囲を制限する制御手段は、可視及び赤外波長において、透明部材及び無限遠で合焦するズームレンズとフォーカスレンズ位置の関係データを記憶してある記憶手段と、前記関係データと現在のズームレンズ位置に基づいて、可視及び赤外波長における透明部材から無限遠までの範囲で合焦するフォーカスレンズ移動範囲をそれぞれ算出する算出手段を有し、前記算出された赤外成分の割合に基づいて、前記可視及び赤外波長のフォーカスレンズ移動範囲のどちらかを選択し、フォーカスレンズに制限を掛ける制御手段である。
【発明の効果】
【００１１】
上記のように構成すると、赤外カットフィルタを除去した撮影時において、撮像光源に含まれる波長光のうち最も割合の高い波長領域を特定することが可能である。前面に配した透明部材への合焦を防ぐフォーカス制限を設定する際、特定した波長領域に基づきフォーカス制限範囲を算出することで、撮像光源によらない安定したフォーカス制限が可能となる。
【発明を実施するための最良の形態】
【００１２】
次に、本発明の詳細を実施例の記述に従って説明する。
【００１３】
前記第１及び第２の赤外領域は、原色または補色カラーフィルタの赤外領域における分光透過特性に基づいて定義される。図３に原色カラーフィルタの分光透過特性図を示す。図３に示すように原色カラーフィルタの６５０［ｎｍ］〜８２０［ｎｍ］付近の波長帯では、赤色信号Ｒが最も透過率が高く、緑色信号Ｇ及び青色信号Ｂの透過率は低い。よってこの波長成分の光が、前面に原色カラーフィルタを配した撮像素子に入射した場合、得られる色情報は赤色成分が支配的となる。この赤色成分が支配的となる領域を第１の赤外領域とする。また８２０［ｎｍ］付近〜長波長の波長帯では、３色成分がほぼ同量透過されている。よってこの波長成分の光が、前面に原色カラーフィルタを配した撮像素子に入射した場合、得られる色情報は無彩色となる。この色情報が無彩色を示す領域を第２の赤外領域とする。
【００１４】
図４に補色カラーフィルタの分光透過特性図を示す。図４に示すように補色カラーフィルタの６５０［ｎｍ］〜８２０［ｎｍ］付近の波長帯では、イエローＹｅ（Ｒ＋Ｇ）及びマゼンダＭｇ（Ｒ＋Ｂ）の透過特性がほぼ同一であり、透過率が最も高く、シアンＣｙ（Ｇ＋Ｂ）の透過率のみ低い。よってこの波長成分をもつ光が、前面に補色カラーフィルタを配した撮像素子に入射した場合においても、得られる色情報は赤色成分が支配的となる。この赤色成分が支配的となる領域を第１の赤外領域とする。また、図４に示すように８２０［ｎｍ］付近〜長波長の波長帯では、３色成分がほぼ同量透過されている。よってこの波長成分の光が、前面に補色カラーフィルタを配した撮像素子に入射した場合、得られる色情報は無彩色となる。この色情報が無彩色を示す領域を第２の赤外領域とする。
【００１５】
第１及び第２の赤外領域の帯域幅は、撮像素子カラーフィルタの分光透過特性によって若干変わるが、一般的な撮像素子カラーフィルタにおける赤外波長領域では、赤色成分が多く透過される第１の赤外領域と、３色成分がほぼ同量透過される第２の赤外領域とに大別することができる。
【００１６】
ここで第１及び第２の赤外領域の波長光がどのような色を出力するかを検出するために、原色及び補色カラーフィルタに単波長光を照射し、波長毎に色差信号と輝度信号を取得する。色差信号レベルは輝度信号レベルにほぼ比例関係を有するので、色差信号と輝度信号の比であるＲ−Ｙ／Ｙ、Ｂ−Ｙ／Ｙ軸とからなる直交座標系に色差信号を変換することで、輝度信号のレベルによらない色情報のみを評価することが可能である。以後、色差信号と輝度信号の比であるＲ−Ｙ／Ｙ、Ｂ−Ｙ／Ｙを色差輝度比と簡略化して呼ぶ。
【００１７】
原色及び補色カラーフィルタにおける各波長の色差輝度比の分布例を図５及び図６に示す。原色カラーフィルタの場合、図５に着目すると第１の赤外波長領域の色差輝度比は、６５０［ｎｍ］〜７７０［ｎｍ］付近までは赤色から黄色の直線上に分布しており、７７０［ｎｍ］〜８２０［ｎｍ］付近までは黄色から無彩色の直線上に分布していることがわかる。この第１の赤外領域の波長光の色差輝度比が分布する範囲を、以後第１の赤外色分布範囲と呼ぶ。また第２の赤外領域の色差輝度比は、８２０［ｎｍ］以降すべて無彩色を示す座標中心にのみ分布している。この第２の赤外領域の波長光の色差輝度比が分布する範囲を、以後第２の赤外色分布範囲と呼ぶ。
【００１８】
補色カラーフィルタの場合、図６に着目すると原色カラーフィルタにおける第１の赤外色分布範囲に相当する６５０［ｎｍ］〜８２０［ｎｍ］付近までは、赤色から無彩色の直線上に分布していることがわかる。また、第２の赤外色分布範囲に相当する８２０［ｎｍ］以降は、原色カラーフィルタと同様にすべて無彩色を示す座標中心にのみ分布している。
【００１９】
本発明における第１の赤外色分布範囲は、使用する原色または補色カラーフィルタの分光透過特性によって形状が変化するため、使用する撮像素子カラーフィルタ毎に分光透過特性より算出、もしくは測定して分布範囲を求めておく必要がある。
【００２０】
ここで前記撮影画面中の複数の領域について平均化して抽出した色差輝度比の分布の例を図７に示す。補色カラーフィルタを配した撮像素子において可視光のみでの撮影をした場合に撮影画面中の複数の領域について平均化して抽出された色差輝度比の分布が、図７（Ａ）のようであったとする。この可視光に第１の赤外領域の波長光が加わると、色差輝度比は前記可視光のみでの撮影時の色差輝度比と、前記第１の赤外色分布範囲との混合色差輝度比となる。よって可視成分に第１の赤外領域の波長光が加わった場合、色差輝度比の分布は図７（Ｂ）のように第１の赤外色分布範囲の近傍に集中する特性を有する。近傍に集中する度合いは、可視成分に対する第１の赤外領域の波長成分の比率に依存し、第１の赤外領域の波長成分が多いほど第１の赤外色分布範囲の近傍に集中する。
【００２１】
可視光に第２の赤外領域の波長光が加わると、色差輝度比は前記可視光のみでの撮影時の色差輝度比と、前記第２の赤外色分布範囲との混合色差輝度比となる。よって可視光に第２の赤外領域の波長光が加わった場合、色差輝度比の分布は図７（Ｃ）のように第２の赤外色分布範囲の近傍に集中する特性を有する。近傍に集中する度合いは、可視成分に対する第２の赤外領域の波長成分の比率に依存し、第２の赤外領域の波長成分が多いほど第２の赤外色分布範囲の近傍に集中する。
【００２２】
これら第１及び第２の赤外領域の波長成分が色差輝度比に及ぼす影響特性を利用し、前記撮影画面中の複数の領域について平均化して抽出した色差輝度比が、第１及び第２の赤外色分布範囲の近傍に集中している度合いを位置関係に基づいて評価することで光源に含まれる第１及び第２の赤外領域の波長成分の割合を夫々検出することが可能である。
【００２３】
前記抽出した色差輝度比が、第１の赤外色分布範囲の近傍に集中している度合いを定量的に評価する方法として、前記抽出した色差輝度比と第１の赤外色分布範囲との最短距離をそれぞれ算出する。前記算出した最短距離の乗数倍をすべて総和したものを、第１の赤外成分評価値として用いるようにする。
【００２４】
前記第１の赤外成分評価値と第１の赤外領域の波長成分の割合は、一般的な被写体において図８（Ａ）のような関係がある。よって、前記関係データを予め記憶手段に記憶しておけば、前記第１の赤外成分評価値に基づいて、第１の赤外領域の波長成分の割合を決定することができる。
【００２５】
前記抽出した色差輝度比が、第２の赤外色分布範囲の近傍に集中している度合いを定量的に評価する方法として、前記抽出した色差輝度比と第２の赤外色分布範囲との最短距離をそれぞれ算出する。前記算出した最短距離の乗数倍をすべて総和したものを、第２の赤外成分評価値として用いるようにする。
【００２６】
前記第２の赤外成分評価値と第２の赤外領域の波長成分の割合は、一般的な被写体において図８（Ｂ）のような関係がある。よって、前記関係データを予め記憶手段に記憶しておけば、前記第２の赤外成分評価値に基づいて、第２の赤外領域の波長成分の割合を決定することができる。
【００２７】
前記第１及び第２の赤外成分評価値において、最短距離を乗数倍してから総和することで、撮影画面中に含まれる色に依存しない評価が可能となる。例えば、撮影画面の色の大半が、赤Ｒ〜シアンＣｙで形成されていたとする。すると図９のように可視光における撮影画面中から抽出された色差輝度比の大半が、第１及び第２の赤外色分布範囲の近傍に集中する。
【００２８】
よって撮影画面中の複数の領域から抽出した色差輝度比の大半は、第１及び第２の赤外色分布範囲との最短距離が小さくなる。しかし、撮影画面中における複数の領域のうち、１つの領域でも第１及び第２の赤外色分布範囲から離れた色差輝度比をもつものがあれば、最短距離の乗数倍を取ることで、離れた色差輝度比に対し重み付けをすることが可能である。結果、最短距離の乗数倍の総和つまり第１及び第２の赤外成分評価値は大きくなる。
【００２９】
よって図９のような色差輝度比の分布が偏っている場合であっても、第１及び第２の赤外波長成分の割合を大きく誤ることがない。
【００３０】
前記決定した第１及び第２の赤外波長成分の割合を用いれば、撮像光源によらず前面に配された透明部材に合焦しないフォーカス制限を適切にかけることが可能となる。可視及び赤外波長において、透明部材及び無限遠で合焦するズームレンズとフォーカスレンズ位置の関係を図１０に示す。前記第１及び第２の赤外波長成分の割合の和が所定の値（例えば５０％）を超えた場合、前記赤外波長における透明部材から無限遠で合焦するフォーカスレンズ移動範囲をフォーカス制限として選択する。前記第１及び第２の赤外波長成分の割合の和が所定の値（例えば５０％）を下回った場合、前記可視波長における透明部材から無限遠で合焦するフォーカスレンズ移動範囲をフォーカス制限として選択する。
【００３１】
前記透明部材及び無限遠で合焦するズームレンズとフォーカスレンズ位置の関係は、可視及び赤外波長の代表波長における値である。代表波長は撮像光源に含まれる波長そのものではないため、透明部材へ合焦しないようにフォーカス制限かける上で実用上問題ないものを選定する必要がある。被写体へ正確にピントを合わせるフォーカスレンズ位置は、前記選択したフォーカス制限の範囲内でウォブリングを行い決定する。
【００３２】
前記決定した第１及び第２の赤外波長成分の割合とその差分である可視波長成分の割合を用いれば、さらに詳細なフォーカス制限をかけることが可能となる。可視及び第１及び第２の赤外波長において、透明部材及び無限遠で合焦するズームレンズとフォーカスレンズ位置の関係を図１１に示す。前記第１及び第２の赤外波長成分と可視波長成分の内、最も割合の高い波長成分における、前記赤外波長における透明部材から無限遠で合焦するフォーカスレンズ移動範囲をフォーカス制限として選択する。
【００３３】
前記透明部材及び無限遠で合焦するズームレンズとフォーカスレンズ位置の関係は、可視、第１及び第２の赤外波長の代表波長における値である。代表波長は撮像光源に含まれる波長そのものではないため、透明部材へ合焦しないようにフォーカス制限かける上で実用上問題ないものを選定する必要がある。被写体へ正確にピントを合わせるフォーカスレンズ位置は、前記選択したフォーカス制限の範囲内でウォブリングを行い決定する。
【００３４】
上記のように構成すれば、赤外カットフィルタを除去した撮影時において、撮像光源に占める波長光の割合を算出することが可能である。波長光の割合に応じてフォーカス制限を選択すれば、前面に配した透明部材へは合焦することなく、かつ被写体に対して適切に合焦させることが可能となる。
【実施例１】
【００３５】
上記撮像信号に基づく赤外成分の割合を算出する手段と、それを用いてフォーカスレンズ制御を行う、赤外カットフィルタの挿脱機能を有した撮像装置の実施形態を説明する。実施形態の構成図を図１２に示す。
【００３６】
前面に配される透明部材１を透過した被写体からの反射光は、撮像光学系２及び光路長補正フィルタ５または赤外カットフィルタ６を通過し、撮像素子カラーフィルタ７を介して撮像素子８に入射される。撮像素子８からのアナログ撮像信号は撮像信号処理部２０１によって赤色信号Ｒ、青色信号Ｂ、緑色信号Ｇに分解される。
【００３７】
ＷＢ回路２０２は撮像信号のＲゲイン及びＢゲインを調整し、適切なホワイトバランスに調整する処理部である。色分離マトリクス（ＭＴＸ）２０３は、適正なホワイトバランスに調整された赤色信号Ｒ、青色信号Ｂ、緑色信号Ｇを、色差信号Ｒ−Ｙ、Ｂ−Ｙ及び、輝度信号Ｙに変換する処理部である。色差信号Ｒ−Ｙ、Ｂ−Ｙ及び、輝度信号Ｙは映像信号合成部２０４により映像信号として合成され外部へ出力される。
【００３８】
映像信号合成部２０４は、赤外カットフィルタ６が挿入されている状態での撮影では、色分離マトリクス２０３から得られる色差信号Ｒ−Ｙ、Ｂ−Ｙ及び輝度信号Ｙを合成し、カラー映像を出力する。ただし、赤外カットフィルタ６が除去され、光路長補正フィルタ５が挿入されている場合、その映像信号は赤外光の混入により色バランスが崩れてしまう。よって光路長補正フィルタ５が挿入されている状態での撮影では、色分離マトリクス２０３から得られる色差信号Ｒ−Ｙ、Ｂ−Ｙを破棄し、輝度信号Ｙのみの白黒映像を出力する。
【００３９】
ＷＢ回路２０２は、光路長補正フィルタ５が挿入されている場合、映像信号合成部２０４において色差信号Ｒ−Ｙ、Ｂ−Ｙを破棄するため、映像信号としてのホワイトバランスを調整する必要がない。代わりに波長成分割合演算部２０８において、波長成分の割合を演算するために必要な撮像信号を得るため、３原色信号ＲＧＢの出力が等しい場合に無彩色となる所定のＲゲイン及びＢゲインにて変換をかける。
【００４０】
変換された撮像信号である色差信号Ｒ−Ｙ、Ｂ−Ｙ及び輝度信号Ｙは、画面分割部２０５において複数の領域毎に分割される。平均値演算部２０６において分割された複数の領域毎に平均化され、各領域の平均色差信号、及び平均輝度信号に夫々変換される。変換された平均色差及び輝度信号は、色差輝度比演算部２０７にてＲ−Ｙ／Ｙ、Ｂ−Ｙ／Ｙに変換される。
【００４１】
波長成分割合演算部２０８は、色差輝度比演算部２０７にて変換されたＲ−Ｙ／Ｙ、Ｂ−Ｙ／Ｙとに基づいて撮像光源に含まれる波長成分の割合を算出する。波長成分割合演算部２０８における具体的な処理を図１３に示す。
【００４２】
図１３のステップＳ５５０において、色差輝度比演算部２０７から得られる色差信号Ｒ−Ｙ／Ｙ、Ｂ−Ｙ／Ｙを画面分割部２０５で分割した領域の数だけ格納する。次にステップＳ５５１において、メモリ２０９より予め記憶してある第１及び２の赤外色分布範囲を読み出す。
【００４３】
ステップＳ５５２において、色差輝度比Ｒ−Ｙ／Ｙ、Ｂ−Ｙ／Ｙと第１の赤外色分布範囲の最短距離を演算し、ステップＳ５５３において、前記最短距離の乗数値を演算する。ステップＳ５５４において、撮影画面を分割した領域すべてについてステップＳ５５２及びＳ５５３の処理がなされたかを確認する。領域すべてについて処理が終了していない場合、ステップＳ５５２及びＳ５５３までの処理を繰返す。領域すべてについて処理が終了した場合は、ステップＳ５５５に進み、これまでの全領域の最短距離の乗数値を総和し第１の赤外成分評価値を算出する。
【００４４】
ステップＳ５５６では、ステップＳ５５５で演算された第１の赤外成分評価値と、予めメモリ２０９に記憶してある第１の赤外成分評価値と第１の赤外成分の割合との相関データを照合し、撮像光源に含まれる第１の赤外成分の割合ＰＩＲ１を決定する。
【００４５】
ステップＳ５５７において、色差輝度比Ｒ−Ｙ／Ｙ、Ｂ−Ｙ／Ｙと第２の赤外色分布範囲の最短距離を演算し、ステップＳ５５８において、前記最短距離の乗数値を演算する。ステップＳ５５９において、撮影画面を分割した領域すべてについてステップＳ５５７及びＳ５５８の処理がなされたかを確認する。領域すべてについて処理が終了していない場合、ステップＳ５５７及びＳ５５８までの処理を繰返す。領域すべてについて処理が終了した場合は、ステップＳ５６０に進み、これまでの全領域の最短距離の乗数値を総和し第２の赤外成分評価値を算出する。
【００４６】
ステップＳ５６１では、ステップＳ５６０で演算された第２の赤外成分評価値と、予めメモリ２０９に記憶してある第２の赤外成分評価値と第２の赤外成分の割合との相関データを照合し、撮像光源に含まれる第２の赤外成分の割合ＰＩＲ２を決定する。
【００４７】
第１の赤外長成分の割合ＰＩＲ１を決定するステップＳ５５２からステップＳ５５６までの処理と、第２の赤外成分の割合ＰＩＲ２を決定するステップＳ５５７からステップＳ５６１までの処理は、どちらを先に行っても良い。
【００４８】
ステップＳ５６２では、ステップＳ５５６及びＳ５６１で演算された第１及び２の赤外成分の割合ＰＩＲ１、ＰＩＲ２を加算し、撮像光源に含まれる残りの波長成分である可視成分の割合ＰＶを算出する。
【００４９】
フォーカス制限範囲演算部２１０は、波長成分割合演算部２０８において算出した第１及び２の赤外成分の割合と可視成分の割合に基づいて、フォーカスレンズの移動制限範囲を決定する。フォーカス制限範囲演算部２１０における具体的な処理を図１４に示す。
【００５０】
ステップＳ６００では、波長成分割合演算部２０８において算出した第１及び２の赤外成分の割合と可視成分の割合の内、最も高いものを選択する。メモリ２０９には可視、第１及び第２の赤外波長において、透明部材及び無限遠で合焦するズームレンズとフォーカスレンズ位置の関係データが予め記憶されている。ステップＳ６０１では、ステップＳ６００において選択した波長の関係データをメモリ２０９から読み出す。
【００５１】
ステップＳ６０２では、ズームレンズ位置検出部９より現在のズームレンズ位置を読み出す。ステップＳ６０３では、ステップＳ６０２で読み出したズームレンズ位置と、ステップＳ６０１で読み出した関係データを照合し、透明部材から無限遠に合焦するフォーカスレンズの範囲を検出し、フォーカスレンズの移動制限範囲とする。ステップＳ６０４では、ステップＳ６０３で決定したフォーカス移動制限範囲に基づき、フォーカスレンズ駆動制御部１０によりフォーカスレンズ４を移動しウォブリングにより被写体にピントを合わせる。
【図面の簡単な説明】
【００５２】
【図１】可視光にフォーカス制限を合わせた場合の合焦範囲図
【図２】赤外光にフォーカス制限を合わせた場合の合焦範囲図
【図３】原色カラーフィルタの分光透過特性図
【図４】補色カラーフィルタの分光透過特性図
【図５】原色カラーフィルタに単波長光を照射した場合における波長別の色差輝度比
【図６】補色カラーフィルタに単波長光を照射した場合における波長別の色差輝度比
【図７】（Ａ）撮像光源が可視光のみの色差輝度比の分布  （Ｂ）撮像光源が可視光と第１の赤外成分との混合光の色差輝度比の分布  （Ｃ）撮像光源が可視光と第２の赤外成分との混合光の色差輝度比の分布
【図８】（Ａ）第１の赤外色分布範囲との距離と、第１の赤外成分の割合との関係  （Ｂ）第２の赤外色分布範囲との距離と、第２の赤外成分の割合との関係
【図９】特定色に偏っている被写体における色差輝度比の分布
【図１０】可視及び赤外波長において、透明部材及び無限遠で合焦するズームレンズとフォーカスレンズ位置の関係
【図１１】可視、第１及び２の赤外波長において、透明部材及び無限遠で合焦するズームレンズとフォーカスレンズ位置の関係
【図１２】赤外成分の割合検出によるフォーカス制限手段を有した撮像装置の実施形態図
【図１３】波長成分割合演算部におけるフローチャート
【図１４】フォーカス制限範囲演算部におけるフローチャート
【図１】
2010145704.tif 000003
【図２】
2010145704.tif 000004
【図３】
2010145704.tif 000005
【図４】
2010145704.tif 000006
【図５】
2010145704.tif 000007
【図６】
2010145704.tif 000008
【図７】
2010145704.tif 000009
【図８】
2010145704.tif 000010
【図９】
2010145704.tif 000011
【図１０】
2010145704.tif 000012
【図１１】
2010145704.tif 000013
【図１２】
2010145704.tif 000014
【図１３】
2010145704.tif 000015
【図１４】
2010145704.tif 000016